(57)【要約】【課題】ネイルに使用する塗料やリムーバ、或いは、それらの容器等を廃棄物として排出することなく、また、暗中にあっても自ら光を放って鮮やかに指先を彩ることのできるネイルチップを提供すること。【解決手段】少なくとも、入力乃至受信した画像データを保存するメモリ及び当該画像データを演算処理して出力する演算部を搭載した回路基板と、前記演算部により出力されたデータに基づいて画像を表示するディスプレイ装置と、前記回路及びディスプレイ装置に電力を供給する電池とからなる積層体を、前記ディスプレイ装置を外皮層とする爪形状に形成したこと。【選択図】図１
2008053941.tif 000002
【特許請求の範囲】
【請求項１】
少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなる積層体を、前記ディスプレイ装置を外皮層とする爪形状に形成したことを特徴とするネイルチップ。
【請求項２】
少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなり、前記ディスプレイ装置を外皮層とする板状積層体を爪の略平面視形状に切取ったネイルチップであって、装着に際して爪形状に成形することを特徴とするネイルチップ。
【請求項３】
ディスプレイ装置は、オーガニックエレクトロルミネッセンスディスプレイ又はオーガニックライトエミッティングダイオードディスプレイである請求項１又は２のネイルチップ。
【請求項４】
バッテリは、有機ラジカル電池である請求項１〜３のいずれかのネイルチップ。
【請求項５】
回路基板には、ブルートゥース（Bluetooth:登録商標）等の無線通信手段により送信される画像データを受信可能な受信部を搭載した請求項１〜４のいずれかのネイルチップ。
【請求項６】
回路基板には、前記メモリに保存された画像データをブルートゥース等の無線通信手段により送信可能な送信部を搭載した請求項１〜５のいずれかのネイルチップ。
【請求項７】
根元側，先端側，左右側のいずれか又は全てにおいて、各々の爪の形状に適合するよう切削，切除，折曲などして除去可能な調整しろを備えた請求項１〜６のいずれかのネイルチップ。
【請求項８】
積層体は、装着面に粘着材及び離型シートを備える請求項１〜７のいずれかのネイルチップ。
【請求項９】
粘着材及び離型シートは、片面に同じ粘着材及び離型シートを備えるシール材と一体に形成された請求項８のネイルチップ。
【請求項１０】
少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなる積層体を、前記ディスプレイ装置を外皮層とする爪形状に形成したネイルチップ、又は、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなり、前記ディスプレイ装置を外皮層とする板状積層体を爪の略平面視形状に切取ったネイルチップであって、装着に際して爪形状に成形するネイルチップと併用する指輪，ネックレス，ブレスレット，バングルなどのアクセサリであって、画像データを取得して格納する格納部と、この格納された画像データを前記メモリへ提供する提供手段とを備えたことを特徴とするアクセサリ。
【請求項１１】
少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなる積層体を、前記ディスプレイ装置を外皮層とする爪形状に形成したネイルチップ、又は、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなり、前記ディスプレイ装置を外皮層とする板状積層体を爪の略平面視形状に切取ったネイルチップであって、装着に際して爪形状に成形するネイルチップの前記バッテリを充電するための充電器であって、合成樹脂などの硬質材を円柱，角柱等の適宜の柱形状に形成してなる充電器本体と、該充電器本体の上面に穿設した５ないし１０の指穴と、該指穴の底部において接触又は非接触で前記バッテリに電力を供給して充電する電力供給手段を備えたことを特徴とするネイルチップ用充電器。
【請求項１２】
サーバコンピュータと、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなる積層体を、前記ディスプレイ装置を外皮層とする爪形状に形成したネイルチップ、又は、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなり、前記ディスプレイ装置を外皮層とする板状積層体を爪の略平面視形状に切取ったネイルチップであって、装着に際して爪形状に成形するネイルチップと、該ネイルチップと併用する指輪，ネックレス，ブレスレット，バングルなどのアクセサリであって、画像データを取得して格納する格納部と、この格納された画像データを前記メモリへ提供する提供手段とを備えたアクセサリがネットワークを介して有線又は無線により接続されたネイルチップ用画像データ配信システムであって、
前記サーバコンピュータは、画像データを格納したデータベースと、前記アクセサリからの要求を受信する受信手段と、該要求に応じて画像データを該アクセサリに送信する送信手段とを具備し、
前記アクセサリは、サーバコンピュータに対する要求を入力するための入力手段と、該要求等をサーバコンピュータ等へ送信する送信手段と、前記画像データを受信する受信手段と、前記格納部を具備し、
該アクセサリは格納部内の画像データを前記提供手段により前記メモリへ提供し、前記ディスプレイ装置が当該データに係る画像を表示することを特徴とするネイルチップ用画像データ配信システム。
【発明の詳細な説明】
【技術分野】
【０００１】
本発明は手や足の指先等に装着するネイルチップに関し、特に、画像データを再生表示するディスプレイ装置を搭載したネイルチップに関する。
【背景技術】
【０００２】
ネイルアートと称して自ら或いは他人の爪に絵を描き又は宝石を付すなどして指先を装飾する女性は多い。また、このネイルアートを専業として行ういわゆるネイルサロンの出店も増加傾向にある。一方、簡便にネイルのデザインを変更できることから、爪に直接顔料等を塗布するのではなく、予めカラーリングやデコレーションを施したネイルチップ（いわゆるつけづめ）を指先に貼着することで手軽にネイルアートを楽しむ人も多い。【０００３】
従来のネイルチップは、プラスチック等の熱硬化性樹脂を爪形状に形成したものに任意の装飾が施された状態で市場に供給されるのが一般的であったが、ユーザによるデザイン選択の自由度を高めるために、データベースに蓄積された画像又はデータ入力手段によりユーザ自らが描き込んだ画像をデータ出力して指先にプリントする技術が既に提案されている（特許文献１参照）。【０００４】
然し乍ら、かかるネイルデザインを変更するとき、塗布された塗料が乾燥するまでの間はユーザの行動が大きく制限され、またネイルに使用される塗料やリムーバ，乾燥剤等が人体へ与える影響、或いはその量産と廃棄が自然環境に対して与える影響についても懸念されるところである。【０００５】
さらに、顔料からなるエナメル塗料或いはアクリル塗料などのネイルアート用塗料は、そもそも自然光の下など明るい場所で発色することを前提としたものであるところ、夜間など光の弱い場所においては殆どその装飾効果を発揮し得ない。
【特許文献１】特開２０００−１９４８３８号
【発明の開示】
【発明が解決しようとする課題】
【０００６】
そこで本発明は、ネイルアートに関し従来技術が有する上記の問題点に鑑み、ネイルに使用する塗料やリムーバ或いはそれらの容器等を廃棄物として排出することなく、また、暗中にあっても自ら光を放って鮮やかに指先を彩ることのできるネイルチップを提供することを第一の課題とする。【０００７】
また本発明は、上記のネイルチップと併用することができ、ネイルデザインに係る大量のデータを格納し、ネイルチップとの間で該データを送受信することができるアクセサリを提供することを第二の課題とする。【０００８】
さらに本発明は、上記のネイルチップを簡易に充電することができる専用の充電器を提供することを第三の課題とする。【０００９】
加えて本発明は、上記のネイルチップ及びアクセサリを利用し、新規な画像データを簡易に取得・変更するためのネイルチップ用画像データ配信システムを提供することを第四の課題とする。
【課題を解決するための手段】
【００１０】
上記第一の課題を解決することを目的としてなされた本発明ネイルチップの構成は、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなる積層体を、前記ディスプレイ装置を外皮層とする爪形状に形成したことを特徴とするものである。【００１１】
また本発明ネイルチップは、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなり、前記ディスプレイ装置を外皮層とする板状積層体を爪の略平面視形状に切取ったネイルチップであって、装着に際して爪形状に成形することを特徴として構成するものである。【００１２】
本発明は、ディスプレイ装置としてオーガニックエレクトロルミネッセンスディスプレイ（以下、有機ＥＬディスプレイともいう）、或いは、オーガニックライトエミッティングダイオードディスプレイ（ＯＬＥＤ）を採用し、電池には有機ラジカル電池を適用して構成してもよい。【００１３】
さらに本発明は、集積回路が無線通信機能を備えることによって、インターネット等のネットワークを介してパソコンや携帯電話などの端末機器からダウンロードした画像データを受信してディスプレイ装置に表示したり、或いは、メモリ内に保有している画像データを本発明のネイルチップを装着した者同士で相互に送受信することも可能となる。【００１４】
しかも本発明に係るネイルチップは、根元側，先端側，左右側などにおいて、装着者の各々の爪の形状に適合するよう切削，切除，折曲などして除去可能な調整しろを備えるよう構成するのが望ましい。かかる構成により、年齢・性別を問わず如何なるユーザにあっても隙間なく容易に爪へ装着することができる。【００１５】
さらに、本発明ネイルチップを構成する積層体は、最下層に粘着材及び離型シートを備え、また、少なくとも片面に粘着材及び離型シートを備えるシール材と一体に形成することが可能である。【００１６】
上記第二の課題を解決することを目的としてなされた本発明アクセサリの構成は、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなる積層体を、前記ディスプレイ装置を外皮層とする爪形状に形成したネイルチップ、又は、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなり、前記ディスプレイ装置を外皮層とする板状積層体を爪の略平面視形状に切取ったネイルチップであって、装着に際して爪形状に成形するネイルチップと併用する指輪，ネックレス，ブレスレット，バングルなどのアクセサリであって、画像データを取得して格納する格納部と、この格納された画像データを前記メモリへ提供する提供手段とを備えたことを特徴とするものである。【００１７】
上記第三の課題を解決することを目的としてなされた本発明充電器の構成は、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなる積層体を、前記ディスプレイ装置を外皮層とする爪形状に形成したネイルチップ、又は、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなり、前記ディスプレイ装置を外皮層とする板状積層体を爪の略平面視形状に切取ったネイルチップであって、装着に際して爪形状に成形するネイルチップの前記バッテリを充電するための充電器であって、合成樹脂などの硬質材を円柱，角柱等の適宜の柱形状に形成してなる充電器本体と、該充電器本体の上面に穿設した５ないし１０の指穴と、該指穴の底部において接触又は非接触で前記バッテリに電力を供給して充電する電力供給手段を備えたことを特徴とするものである。【００１８】
上記第四の課題を解決することを目的としてなされた本発明ネイルチップ用画像データ配信システムの構成は、サーバコンピュータと、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなる積層体を、前記ディスプレイ装置を外皮層とする爪形状に形成したネイルチップ、又は、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなり、前記ディスプレイ装置を外皮層とする板状積層体を爪の略平面視形状に切取ったネイルチップであって、装着に際して爪形状に成形するネイルチップと、該ネイルチップと併用する指輪，ネックレス，ブレスレット，バングルなどのアクセサリであって、画像データを取得して格納する格納部と、この格納された画像データを前記メモリへ提供する提供手段とを備えたアクセサリがネットワークを介して有線又は無線により接続されたネイルチップ用画像データ配信システムであって、前記サーバコンピュータは、画像データを格納したデータベースと、前記アクセサリからの要求を受信する受信手段と、該要求に応じて画像データを該アクセサリに送信する送信手段とを具備し、前記アクセサリは、サーバコンピュータに対する要求を入力するための入力手段と、該要求等をサーバコンピュータ等へ送信する送信手段と、前記画像データを受信する受信手段と、前記格納部を具備し、該アクセサリは格納部内の画像データを前記提供手段により前記メモリへ提供し、前記ディスプレイ装置が当該データに係る画像を表示することを特徴とするものである。
【発明の効果】
【００１９】
本発明ネイルチップは、その表層部にディスプレイ装置を搭載したことで、メモリに記録したネイルデザインの画像データを自発光により表示し、また、再生された画像データを切替え或いは書換えることによって簡単にネイルのデザインを変更することができる。さらに、本発明ネイルチップと併用するアクセサリは、格納部において大量の画像データを保存しておくことができる。加えて、本発明ネイルチップ専用充電器によれば、ネイルチップを装着したままにバッテリを充電することができる。また、本発明ネイルチップ用画像データ配信システムによって、ユーザは時や場所を問わず、簡便にネイルデザインを変更し又は新しい画像データをサーバからダウンロードして取得することができる。この結果、光の届かない場所でも指先を明るく灯すことができるとともに、塗料等を一切使用せずにデザイン画像を表示乃至変更でき、またネイルチップとアクセサリを併せて装着するユーザは美観を失うことなくネイル画像のデータを大量に携帯でき、さらに、かかるネイルデザインは画像データとして授受されるものであるため排出された廃棄物が自然環境を損なうといった事態などについても完全に防止できるという効果を有する。
【発明を実施するための最良の形態】
【００２０】
次に、本発明の実施の形態例について図に拠り説明する。図1は本発明ネイルチップの一例を示した分解斜視図、図２は本発明を構成する集積回路のシステムブロック図、図３は従来型のネイルアート装置の一例を示した斜視図、図４は被膜層を有する本発明ネイルチップの一例を示した縦断面図、図５は請求項８に係る本発明ネイルチップを構成する積層体を例示した縦断面図、図６は請求項９に係るネイルチップを例示した斜視図、図７は図６の横断面図、図８は本発明ネイルチップ及びこれと併用するアクセサリの使用態様を例示した図、図９は本発明ネイルチップを構成するバッテリの専用充電器とその使用態様を例示した斜視図、図１０は本発明に係る画像データ配信システムを例示したシステムブロック図である。【００２１】
従来型のネイルアート装置４は、モニタ４１に表示したデータベース内のデザインデータ或いはユーザ自らが入力したデザインデータを、挿入口４２から挿入したユーザの指先爪部に印刷するものである。この装置４は、デジタルデータ化されたデザイン画像に基づき自動的に塗料などを塗布して印刷する装置であるため、人手によるネイルアートや既に装飾の施されているネイルチップなどに比べ、ユーザによるデザイン選択の自由度が高く、また簡便なものであった。【００２２】
しかし、装置４そのものに要するコストが高く、またエナメルやアクリル系塗料などを実際に噴射して行うものである以上、廃棄物等による環境破壊の問題を避けられないことは既に述べたとおりである。【００２３】
そこで、本発明ネイルチップは外皮層に画像ディスプレイ装置を搭載したことなどによって上述の問題を解消したので、この点について図１〜図９を参照しつつ以下に説明する。【００２４】
図1において、Ｎは本発明に係るネイルチップであって、１はネイルチップＮを構成する有機ＥＬディスプレイ、２はこの有機ＥＬディスプレイ１に表示する画像データＤの再生状態を制御管理する集積回路であって、外部から画像データＤを読み込む入力部Iと、読み込んだデータＤを記録保存するメモリMと、このメモリMに格納されたデータＤを適宜サンプリングレートで演算処理してディスプレイ１に出力する演算部C及び出力部Oとを具備している。【００２５】
ディスプレイ１は、画像データＤを再生表示できるものであればその方式は問わないが、本発明はネイルチップＮであるため薄型であるのが望ましく、本実施例においては有機ＥＬディスプレイ１を適用する。【００２６】
ここで、有機ＥＬディスプレイ１とは電気を光に変換するエレクトロルミネッセンスと呼ばれる現象を利用して画像を表示するディスプレイ装置をいい、ブラウン管とは異なり消費電力が小さく、かつ、自発光であるが故にバックライトを必要としないため薄型化しやすいという特徴を有する。また、発光セルが固体からなるいわゆるソリッドステートであるため、薄いプラスチックのように屈曲自在な部材を基板とすることでフレキシブルディスプレイとして利用でき、これを爪形状に形成ないし成形することは困難でない。【００２７】
ディスプレイ１として具体的に適用可能な製品には、三洋電機株式会社製の有機ＥＬディスレイＡＬＥ２５１、ＡＬＥ２６９、或いは、米イーストマン・コダック社製の有機ＥＬディスプレイＡＭ５５０Ｌなどが挙げられる。なお、オーガニックライトエミッティングダイオードディスプレイとは有機ＥＬディスプレイ１の欧米等における一般的な呼び名である。【００２８】
このディスプレイ１で再生する画像データＤは文字情報からなる或いは含むものであってもよく、また動画のデータファイルＤであってもよいことは言うまでもない。【００２９】
上記ディスプレイ１及び集積回路２に使用する電力は、バッテリ３によって供給する。本実施例においては、バッテリ３として有機ラジカル電池を採用している。【００３０】
有機ラジカル電池とは、有機ラジカル化合物を活物質（蓄電材料）として、ラジカルの酸化反応、還元反応を利用することによって充放電を行う二次電池であって、薄膜化された電極Ｐ０（図示せず）とゲル状に浸透した電解質とからなる屈曲自在な薄型の電池として、異常時にあっても発熱、発煙、発火等の危険性が少なく安全面に優れていることから、本発明のネイルチップＮを構成するバッテリ３として最も好適である。しかも、有機ラジカル電池は従来型の太陽電池などに比してきわめて大きな起電力を有し、本発明ネイルチップＮに適用して固有かつ有利な効果を奏する。また、有機ラジカル電池は水銀や鉛、カドミウム等の有害物質を使用しておらず、本発明の解決すべき課題の一つである環境の保全にも資するものである。【００３１】
なお、バッテリ３は電力を確保できるものであれば如何なる方式の電池も適用可能であり、また、二次電池に限定されるものでもない。【００３２】
このバッテリ３は専用の充電器Ｒを用いて充電するのが望ましい。充電器Ｒは、図９に示すように、プラスチックなど合成樹脂製素材のように保形性を有する適宜の硬質材を略柱形状に形成してなる充電器本体Ｂと、該充電器本体Ｂの上面Ｆに穿設した指穴Ｈと、該指穴Ｈの底部においてバッテリ３に電力を供給する電力供給手段Ｃを備えている。なお、指穴Ｈは充電器Ｒ一体につき５乃至１０備えられるのが望ましく、かかる構成によれば一度の充電行為で指に装着された全てのネイルチップＮに対して電力を補充することができる。【００３３】
電力供給手段Ｃは、接触方式，非接触方式のいずれの供給方式であってもよい。本実施例においては、バッテリ３の薄膜電極Ｐ０と接して電力を供給する接触子Ｐ１を指穴Ｈの底部に配設している。ユーザは、この指穴ＨからネイルチップＮを装着した各指を挿入して、バッテリ３を充電する。指穴Ｈは、人の指が挿入できる程度の径を有する略円筒状に形成され、また親指用に一つ稍大きめの指穴Ｈｔを穿設するのが望ましい。本実施例の充電器Ｒには、一般的な携帯電話機用の電源アダプタＲｊに適合する挿入口Ｊを配設しているため、携帯電話用の電源アダプタＲｊと共用することができてさらに便宜である。【００３４】
本発明ネイルチップＮは、図１に示すように、少なくとも爪形状に形成されたディスプレイ１、集積回路２、バッテリ３を有しており、これらの各層は係止部材によって相互に係止され、或いは、接着剤等によって相互に接着されて一体化した積層構造Ｌをなしている。なお、ディスプレイ１に表示される画像は外部から観察できれば足りるため、ディスプレイ１の内側にある集積回路２と電池３との上下の位置関係は問わず、また、図４に示すようにディスプレイ１に対して表示面を保護するための透明な被覆層Ｇなどを形成することも任意である。【００３５】
また、本発明のネイルチップＮは、その根元側（指側），先端側（爪先側），左右側のいずれか又は全てにおいて、装着者の各々の爪の形状に適合するよう切削，切除，折曲などして除去可能な調整しろＦを備えるよう構成することが可能である。人の爪はその幅や根元の形態においては千差万別であるところ、かかる構成を備えることにより本発明ネイルチップＮに接するユーザはきわめて簡易にネイルチップＮを隙間なく自己の指先に装着することができる。【００３６】
積層体Ｌは、ユーザの爪と接する装着面において粘着材Ｕ及び離型シートＴを備えるよう構成することができる。これにより、ユーザはネイルチップＮの装着に際して離型シートＴを剥離するだけできわめて安価でかつ簡易に貼着することができ、さらに使用後においてはリムーバなどの化学剤を用いることなくネイルチップＮを取除くことができる。積層体Ｌを適度な可塑性を有する物質を以て形成すれば、爪の湾曲に対しても特別な手間を要することなしに隙間なくネイルチップＮを貼付けることができる。【００３７】
積層体Ｌの粘着材Ｕ，離型シートＴについては、図６，図７に示すように、これらの層を片面に備えたシール材Ｖを利用するのが好適である。これにより、ネイルチップＮは装着されるまで一枚のシートとして保管ないし携帯され、使用に際してはじめて爪様の大きさをとるので、移動等によりばらばらになって紛失してしまうおそれは殆んどない。【００３８】
集積回路２には、図２に示すように、ブルートゥース等の無線通信手段によって端末等から送信された画像データＤを受信可能な受信部Rを搭載することが可能である。これにより、サーバＳｃ等のデータベースＤＢに蓄積されたネイルデザインのパターンからインターネットを通じてダウンロードした画像データＤを、パソコンＰｃや携帯電話Ｐｄ等の端末から無線受信して出力部Ｏからディスプレイ１に表示することで、時間や場所、設備の有無等を問わず簡便にネイルデザインを変更することが可能となる。【００３９】
また、メモリMに格納された画像データＤを無線により送信可能な送信部Ｓを集積回路２に搭載すれば、ディスプレイ１に表示されている或いはメモリMに保存してある画像データＤを親しい友人同士などの間で相互に送受信して共有することも可能となる。【００４０】
さらに、本発明ネイルチップＮと併せて、画像データＤを取得して格納する格納部Ａｍと、この格納された画像データＤを前記メモリＭへ提供する提供手段Ａｐとを備えた指輪ｒｇ，ネックレスｎｋ，ブレスレットｂｒ，アンクレットａｋ，バングルｂｇなどのアクセサリＡを用いることが有用である。これにより、ユーザは例えばネイルチップＮのメモリＭには入りきれない複数の動画データＤなどについて、アクセサリＡの格納部Ａｍを利用して保存・携帯することが可能となる。【００４１】
また、本発明ネイルチップＮ，アクセサリＡを用いることによって、ネイルチップＮ用画像データＤの配信システムを構成することも可能となる。かかるシステムは、図１０に示すように、サーバコンピュータＳｃとアクセサリＡ、ネイルチップＮがネットワークを介して接続されている。【００４２】
ネイルチップＮのユーザは、サーバＳｃ内のデータベースＤＢに蓄積された画像データＤ（或いはその情報）の中から所望のデザインを選択すると共に、併用しているアクセサリＡの入力手段Ａｉを用いて要求を入力して、欲しい画像データＤをダウンロードすべく該要求を送信部ＡｓからサーバＳｃへ送り出す。【００４３】
受信手段Ｓｃｒにおいてこの要求を受けたサーバＳｃは、送信手段Ｓｃｓからユーザ所望の画像データＤを送信し、アクセサリＡは受信手段Ａｒにおいて該画像データＤを受信し、これを格納部Ａｍ内に保存する。このようにして収集した格納部Ａｍ内の画像データＤの中から、ユーザは必要に応じて適宜デザインを選択し、送信手段ＡｓからネイルチップＮの入力部Ｉ又は受信部Ｒを通じて必要な画像データＤをメモリＭへ提供することができる。メモリＭにおいて取得された画像データＤは、前述の通り、ディスプレイ１へ出力され画像として表示される。新規な画像データＤについては、いつでもサーバＳｃから取出すことができるので、ユーザは自己の手許においてすぐにその場で表示することができる。なお、アクセサリＡとして携帯電話機を適用することも任意である。
【産業上の利用可能性】
【００４４】
本発明は以上の通りであって、積層体の表層部にディスプレイ装置を搭載したことで、画像データとしてメモリ上に保存したネイルデザインをこのディスプレイ上に自発光により表示し、また、画像データを切り替え乃至は書き換えることで簡単にネイルのデザインを変更できるため、その結果として、光の届かない場所でも指先を明るく装飾することができ、かつ、塗料等を一切必要としないことから排出される廃棄物が自然環境を損なうといった事態についても完全に防止できるという効果を有するので、ネイルチップに適用してきわめて有用である。
【図面の簡単な説明】
【００４５】
【図１】本発明ネイルチップの一例を示した分解斜視図
【図２】本発明を構成する集積回路のシステムブロック図
【図３】従来型ネイルアート装置の斜視図
【図４】被膜層を有する本発明ネイルチップの一例を示した縦断面図
【図５】請求項８に係る本発明ネイルチップを構成する積層体を例示した縦断面図
【図６】請求項９に係るネイルチップを例示した斜視図
【図７】図６の横断面図
【図８】本発明ネイルチップ及びこれと併用するアクセサリの使用態様を例示した図
【図９】本発明ネイルチップを構成するバッテリの専用充電器とその使用態様を例示した斜視図
【図１０】本発明に係る画像データ配信システムを例示したシステムブロック
【符号の説明】
【００４６】
１      ディスプレイ
２      集積回路
３      バッテリ
４      ネイルアート装置
４１    モニタ
４２    挿入口
Ｉ      入力部
Ｒ      受信部
Ｓ      送信部
Ｍ      メモリ
Ｒ      演算部
Ｏ      出力部
Ｎ      ネイルチップ
Ｇ      被膜層
Ｕ      粘着層
Ｔ      離型シート
Ｖ      シール材
Ｌ      積層体
Ａ      アクセサリ
ｒｇ    指輪
ｂｇ    バングル
ｂｒ    ブレスレット
ａｋ    アンクレット
ｎｋ    ネックレス
Ａｒ    受信手段
Ａｓ    送信手段
Ａｍ    格納部
Ａｉ    入力手段
Ｓｃ    サーバコンピュータ
ＤＢ    データベース
Ｓｃｓ  送信手段
Ｓｃｒ  受信手段
Ｒ      充電器
Ｂ      充電器本体
Ｈ      指穴
Ｈｔ    親指用指穴
Ｆ      本体上面
Ｊ      アダプタ挿入口
Ｒｊ    アダプタ
Ｐ０    薄膜電極
Ｐ１    接触子
【図１】
2008053941.tif 000003
【図２】
2008053941.tif 000004
【図３】
2008053941.tif 000005
【図４】
2008053941.tif 000006
【図５】
2008053941.tif 000007
【図６】
2008053941.tif 000008
【図７】
2008053941.tif 000009
【図８】
2008053941.tif 000010
【図９】
2008053941.tif 000011
【図１０】
2008053941.tif 000012
【手続補正書】
【提出日】平成20年6月12日(2008.6.12)
【手続補正１】
【補正対象書類名】特許請求の範囲
【補正対象項目名】全文
【補正方法】変更
【補正の内容】
【特許請求の範囲】
【請求項１】
少なくとも、入力乃至は受信した画像データを保存するメモリ及び当該画像データを演算処理して出力する演算部及び出力部を搭載した回路基板と、前記演算部により出力されたデータに基づいて画像を表示する有機ＥＬディスプレイ装置と、前記回路及び前記有機ＥＬディスプレイ装置に電力を供給する有機ラジカル電池とからなる積層体を、前記有機ＥＬディスプレイ装置を外皮層とする爪形状に形成したことを特徴とするネイルチップ。
【請求項２】
少なくとも、入力乃至は受信した画像データを保存するメモリ及び当該画像データを演算処理して出力する演算部及び出力部を搭載した回路基板と、前記演算部により出力されたデータに基づいて画像を表示する有機ＥＬディスプレイ装置と、前記回路及び前記有機ＥＬディスプレイ装置に電力を供給する有機ラジカル電池とからなり、前記有機ＥＬディスプレイ装置を外皮層とする板状積層体を爪の略平面視形状に切取ったネイルチップであって、装着に際して爪形状に成形することを特徴とするネイルチップ。
【請求項３】
回路基板には、ブルートゥース（Bluetooth:登録商標）等の無線通信手段により送信される画像データを受信可能な受信部を搭載した請求項１または２のネイルチップ。
【請求項４】
回路基板には、前記メモリに保存された画像データをブルートゥース等の無線通信手段により送信可能な送信部を搭載した請求項１〜３のいずれかのネイルチップ。
【請求項５】
根元側，先端側，左右側のいずれか又は全てにおいて、各々の爪の形状に適合するよう切削，切除，折曲などして除去可能な調整しろを備えた請求項１〜４のいずれかのネイルチップ。
【請求項６】
積層体は、装着面に粘着材及び離型シートを備える請求項１〜５のいずれかのネイルチップ。
【請求項７】
粘着材及び離型シートは、片面に同じ粘着材及び離型シートを備えるシール材と一体に形成された請求項６のネイルチップ。
【請求項８】
少なくとも、入力乃至は受信した画像データを保存するメモリ及び当該画像データを演算処理して出力する演算部及び出力部を搭載した回路基板と、前記演算部により出力されたデータに基づいて画像を表示する有機ＥＬディスプレイ装置と、前記回路及び前記有機ＥＬディスプレイ装置に電力を供給する有機ラジカル電池とからなる積層体を、前記有機ＥＬディスプレイ装置を外皮層とする爪形状に形成したネイルチップ、
又は、
少なくとも、入力乃至は受信した画像データを保存するメモリ及び当該画像データを演算処理して出力する演算部及び出力部を搭載した回路基板と、前記演算部により出力されたデータに基づいて画像を表示する有機ＥＬディスプレイ装置と、前記回路及び有機ＥＬディスプレイ装置に電力を供給する有機ラジカル電池とからなり、前記有機ＥＬディスプレイ装置を外皮層とする板状積層体を爪の略平面視形状に切取ったネイルチップであって、装着に際して爪形状に成形するネイルチップ
と併用する指輪，ネックレス，ブレスレット，バングルなどのアクセサリであって、
画像データを取得して格納する格納部と、この格納された画像データを前記メモリへ提供する提供手段とを備えたことを特徴とするアクセサリ。
【請求項９】
少なくとも、入力乃至は受信した画像データを保存するメモリ及び当該画像データを演算処理して出力する演算部及び出力部を搭載した回路基板と、前記演算部により出力されたデータに基づいて画像を表示する有機ＥＬディスプレイ装置と、前記回路及び前記有機ＥＬディスプレイ装置に電力を供給する有機ラジカル電池とからなる積層体を、前記有機ＥＬディスプレイ装置を外皮層とする爪形状に形成したネイルチップ、
又は、
少なくとも、入力乃至は受信した画像データを保存するメモリ及び当該画像データを演算処理して出力する演算部及び出力部を搭載した回路基板と、前記演算部により出力されたデータに基づいて画像を表示する有機ＥＬディスプレイ装置と、前記回路及び前記有機ＥＬディスプレイ装置に電力を供給する有機ラジカル電池とからなり、前記有機ＥＬディスプレイ装置を外皮層とする板状積層体を爪の略平面視形状に切取ったネイルチップであって、装着に際して爪形状に成形するネイルチップと、
指輪，ネックレス，ブレスレット，バングルなどのアクセサリであって、画像データを取得して格納する格納部と、この格納された画像データを前記メモリへ提供する提供手段とを備えたアクセサリと
を有する身飾品セット。
【請求項１０】
少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなる積層体を、前記ディスプレイ装置を外皮層とする爪形状に形成したネイルチップ、又は、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなり、前記ディスプレイ装置を外皮層とする板状積層体を爪の略平面視形状に切取ったネイルチップであって、装着に際して爪形状に成形するネイルチップの前記バッテリを充電するための充電器であって、合成樹脂などの硬質材を円柱，角柱等の適宜の柱形状に形成してなる充電器本体と、該充電器本体の上面に穿設した５ないし１０の指穴と、該指穴の底部において接触又は非接触で前記バッテリに電力を供給して充電する電力供給手段を備えたことを特徴とするネイルチップ用充電器。
【請求項１１】
少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなる積層体を、前記ディスプレイ装置を外皮層とする爪形状に形成したネイルチップ、
又は、
少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなり、前記ディスプレイ装置を外皮層とする板状積層体を爪の略平面視形状に切取ったネイルチップであって、装着に際して爪形状に成形するネイルチップと、
前記バッテリを充電するための充電器であって、合成樹脂などの硬質材を円柱，角柱等の適宜の柱形状に形成してなる充電器本体と、該充電器本体の上面に穿設した５ないし１０の指穴と、該指穴の底部において接触又は非接触で前記バッテリに電力を供給して充電する電力供給手段を備えたネイルチップ用充電器と
を有するネイルチップセット。
【請求項１２】
サーバコンピュータと、少なくとも、入力乃至は受信した画像データを保存するメモリ及び当該画像データを演算処理して出力する演算部及び出力部を搭載した回路基板と、前記演算部により出力されたデータに基づいて画像を表示する有機ＥＬディスプレイ装置と、前記回路及び有機ＥＬディスプレイ装置に電力を供給する有機ラジカル電池とからなる積層体を、前記有機ＥＬディスプレイ装置を外皮層とする爪形状に形成したネイルチップ、又は、少なくとも、入力乃至は受信した画像データを保存するメモリ及び当該画像データを演算処理して出力する演算部及び出力部を搭載した回路基板と、前記演算部により出力されたデータに基づいて画像を表示する有機ＥＬディスプレイ装置と、前記回路及び有機ＥＬディスプレイ装置に電力を供給する有機ラジカル電池とからなり、前記有機ＥＬディスプレイ装置を外皮層とする板状積層体を爪の略平面視形状に切取ったネイルチップであって、装着に際して爪形状に成形するネイルチップと、該ネイルチップと併用する指輪，ネックレス，ブレスレット，バングルなどのアクセサリであって、画像データを取得して格納する格納部と、この格納された画像データを前記メモリへ提供する提供手段とを備えたアクセサリがネットワークを介して有線又は無線により接続されたネイルチップ用画像データ配信システムであって、
前記サーバコンピュータは、画像データを格納したデータベースと、前記アクセサリからの要求を受信する受信手段と、該要求に応じて画像データを該アクセサリに送信する送信手段とを具備し、
前記アクセサリは、サーバコンピュータに対する要求を入力するための入力手段と、該要求等をサーバコンピュータ等へ送信する送信手段と、前記画像データを受信する受信手段と、前記格納部を具備し、
該アクセサリは格納部内の画像データを前記提供手段により前記メモリへ提供し、前記有機ＥＬディスプレイ装置が当該データに係る画像を表示することを特徴とするネイルチップ用画像データ配信システム。
【手続補正書】
【提出日】平成21年1月19日(2009.1.19)
【手続補正１】
【補正対象書類名】特許請求の範囲
【補正対象項目名】全文
【補正方法】変更
【補正の内容】
【特許請求の範囲】
【請求項１】
少なくとも、入力乃至は受信した画像データを保存するメモリ及び当該画像データを演算処理して出力する演算部及び出力部を搭載した回路基板と、前記演算部により出力されたデータに基づいて画像を表示する有機ＥＬディスプレイ装置と、前記回路及び前記有機ＥＬディスプレイ装置に電力を供給する有機ラジカル電池とからなる積層体を、前記有機ＥＬディスプレイ装置を外皮層とする爪形状に形成するとともに、前記有機ラジカル電池の端部には、当該電池を充電する充電器に穿設した指穴の底部において接触又は非接触で電力を供給されるための充電用端子を配設したことを特徴とするネイルチップ。
【請求項２】
少なくとも、入力乃至は受信した画像データを保存するメモリ及び当該画像データを演算処理して出力する演算部及び出力部を搭載した回路基板と、前記演算部により出力されたデータに基づいて画像を表示する有機ＥＬディスプレイ装置と、前記回路及び前記有機ＥＬディスプレイ装置に電力を供給する有機ラジカル電池とからなり、前記有機ＥＬディスプレイ装置を外皮層とする板状積層体を爪の略平面視形状に切取ったネイルチップであって、前記有機ラジカル電池の端部には、当該電池を充電する充電器に穿設した指穴の底部において接触又は非接触で電力を供給されるための充電用端子を配設し、装着に際して爪形状に成形することを特徴とするネイルチップ。
【請求項３】
回路基板には、ブルートゥース（Bluetooth:登録商標）等の無線通信手段により送信される画像データを受信可能な受信部を搭載した請求項１または２のネイルチップ。
【請求項４】
回路基板には、前記メモリに保存された画像データをブルートゥース等の無線通信手段により送信可能な送信部を搭載した請求項１〜３のいずれかのネイルチップ。
【請求項５】
根元側，先端側，左右側のいずれか又は全てにおいて、各々の爪の形状に適合するよう切削，切除，折曲などして除去可能な調整しろを備えた請求項１〜４のいずれかのネイルチップ。
【請求項６】
積層体は、装着面に粘着材及び離型シートを備える請求項１〜５のいずれかのネイルチップ。
【請求項７】
粘着材及び離型シートは、片面に同じ粘着材及び離型シートを備えるシール材と一体に形成された請求項６のネイルチップ。
【請求項８】
少なくとも、入力乃至は受信した画像データを保存するメモリ及び当該画像データを演算処理して出力する演算部及び出力部を搭載した回路基板と、前記演算部により出力されたデータに基づいて画像を表示する有機ＥＬディスプレイ装置と、前記回路及び前記有機ＥＬディスプレイ装置に電力を供給する有機ラジカル電池とからなる積層体を、前記有機ＥＬディスプレイ装置を外皮層とする爪形状に形成するとともに、前記有機ラジカル電池の端部には、当該電池を充電する充電器に穿設した指穴の底部において接触又は非接触で電力を供給されるための充電用端子を配設したネイルチップ、
又は、
少なくとも、入力乃至は受信した画像データを保存するメモリ及び当該画像データを演算処理して出力する演算部及び出力部を搭載した回路基板と、前記演算部により出力されたデータに基づいて画像を表示する有機ＥＬディスプレイ装置と、前記回路及び有機ＥＬディスプレイ装置に電力を供給する有機ラジカル電池とからなり、前記有機ＥＬディスプレイ装置を外皮層とする板状積層体を爪の略平面視形状に切取ったネイルチップであって、前記有機ラジカル電池の端部には、当該電池を充電する充電器に穿設した指穴の底部において接触又は非接触で電力を供給されるための充電用端子を配設し、装着に際して爪形状に成形するネイルチップ
と併用する指輪，ネックレス，ブレスレット，バングルなどのアクセサリであって、
画像データを取得して格納する格納部と、この格納された画像データを前記メモリへ提供する提供手段とを備えたことを特徴とするアクセサリ。
【請求項９】
少なくとも、入力乃至は受信した画像データを保存するメモリ及び当該画像データを演算処理して出力する演算部及び出力部を搭載した回路基板と、前記演算部により出力されたデータに基づいて画像を表示する有機ＥＬディスプレイ装置と、前記回路及び前記有機ＥＬディスプレイ装置に電力を供給する有機ラジカル電池とからなる積層体を、前記有機ＥＬディスプレイ装置を外皮層とする爪形状に形成するとともに、前記有機ラジカル電池の端部には、当該電池を充電する充電器に穿設した指穴の底部において接触又は非接触で電力を供給されるための充電用端子を配設したネイルチップ、
又は、
少なくとも、入力乃至は受信した画像データを保存するメモリ及び当該画像データを演算処理して出力する演算部及び出力部を搭載した回路基板と、前記演算部により出力されたデータに基づいて画像を表示する有機ＥＬディスプレイ装置と、前記回路及び前記有機ＥＬディスプレイ装置に電力を供給する有機ラジカル電池とからなり、前記有機ＥＬディスプレイ装置を外皮層とする板状積層体を爪の略平面視形状に切取ったネイルチップであって、前記有機ラジカル電池の端部には、当該電池を充電する充電器に穿設した指穴の底部において接触又は非接触で電力を供給されるための充電用端子を配設し、装着に際して爪形状に成形するネイルチップと、
指輪，ネックレス，ブレスレット，バングルなどのアクセサリであって、画像データを取得して格納する格納部と、この格納された画像データを前記メモリへ提供する提供手段とを備えたアクセサリと
を有する身飾品セット。
【請求項１０】
少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなる積層体を、前記ディスプレイ装置を外皮層とする爪形状に形成したネイルチップ、又は、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなり、前記ディスプレイ装置を外皮層とする板状積層体を爪の略平面視形状に切取ったネイルチップであって、装着に際して爪形状に成形するネイルチップの前記バッテリを充電するための充電器であって、合成樹脂などの硬質材を円柱，角柱等の適宜の柱形状に形成してなる充電器本体と、該充電器本体の上面に穿設した５ないし１０の指穴と、該指穴の底部において接触又は非接触で前記バッテリに電力を供給して充電する電力供給手段を備えたことを特徴とするネイルチップ用充電器。
【請求項１１】
少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなる積層体を、前記ディスプレイ装置を外皮層とする爪形状に形成したネイルチップ、
又は、
少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなり、前記ディスプレイ装置を外皮層とする板状積層体を爪の略平面視形状に切取ったネイルチップであって、装着に際して爪形状に成形するネイルチップと、
前記バッテリを充電するための充電器であって、合成樹脂などの硬質材を円柱，角柱等の適宜の柱形状に形成してなる充電器本体と、該充電器本体の上面に穿設した５ないし１０の指穴と、該指穴の底部において接触又は非接触で前記バッテリに電力を供給して充電する電力供給手段を備えたネイルチップ用充電器と
を有するネイルチップセット。
【請求項１２】
サーバコンピュータと、少なくとも、入力乃至は受信した画像データを保存するメモリ及び当該画像データを演算処理して出力する演算部及び出力部を搭載した回路基板と、前記演算部により出力されたデータに基づいて画像を表示する有機ＥＬディスプレイ装置と、前記回路及び有機ＥＬディスプレイ装置に電力を供給する有機ラジカル電池とからなる積層体を、前記有機ＥＬディスプレイ装置を外皮層とする爪形状に形成するとともに、前記有機ラジカル電池の端部には、当該電池を充電する充電器に穿設した指穴の底部において接触又は非接触で電力を供給されるための充電用端子を配設したネイルチップ、又は、少なくとも、入力乃至は受信した画像データを保存するメモリ及び当該画像データを演算処理して出力する演算部及び出力部を搭載した回路基板と、前記演算部により出力されたデータに基づいて画像を表示する有機ＥＬディスプレイ装置と、前記回路及び有機ＥＬディスプレイ装置に電力を供給する有機ラジカル電池とからなり、前記有機ＥＬディスプレイ装置を外皮層とする板状積層体を爪の略平面視形状に切取ったネイルチップであって、前記有機ラジカル電池の端部には、当該電池を充電する充電器に穿設した指穴の底部において接触又は非接触で電力を供給されるための充電用端子を配設し、装着に際して爪形状に成形するネイルチップと、該ネイルチップと併用する指輪，ネックレス，ブレスレット，バングルなどのアクセサリであって、画像データを取得して格納する格納部と、この格納された画像データを前記メモリへ提供する提供手段とを備えたアクセサリがネットワークを介して有線又は無線により接続されたネイルチップ用画像データ配信システムであって、
前記サーバコンピュータは、画像データを格納したデータベースと、前記アクセサリからの要求を受信する受信手段と、該要求に応じて画像データを該アクセサリに送信する送信手段とを具備し、
前記アクセサリは、サーバコンピュータに対する要求を入力するための入力手段と、該要求等をサーバコンピュータ等へ送信する送信手段と、前記画像データを受信する受信手段と、前記格納部を具備し、
該アクセサリは格納部内の画像データを前記提供手段により前記メモリへ提供し、前記有機ＥＬディスプレイ装置が当該データに係る画像を表示することを特徴とするネイルチップ用画像データ配信システム。
【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなる積層体を、前記ディスプレイ装置を外皮層とする爪形状に形成したネイルチップ、
又は、
少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなり、前記ディスプレイ装置を外皮層とする板状積層体を爪の略平面視形状に切取ったネイルチップであって、装着に際して爪形状に成形するネイルチップと、
前記バッテリを充電するための充電器であって、合成樹脂などの硬質材を円柱，角柱等の適宜の柱形状に形成してなる充電器本体と、該充電器本体の上面に穿設した５ないし１０の指穴と、該指穴の底部において接触又は非接触で前記バッテリに電力を供給して充電する電力供給手段を備えたネイルチップ用充電器と
を有するネイルチップセット。
【請求項２】
少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなる積層体を、前記ディスプレイ装置を外皮層とする爪形状に形成したネイルチップ、又は、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなり、前記ディスプレイ装置を外皮層とする板状積層体を爪の略平面視形状に切取ったネイルチップであって、装着に際して爪形状に成形するネイルチップの前記バッテリを充電するための充電器であって、合成樹脂などの硬質材を円柱，角柱等の適宜の柱形状に形成してなる充電器本体と、該充電器本体の上面に穿設した５ないし１０の指穴と、該指穴の底部において接触又は非接触で前記バッテリに電力を供給して充電する電力供給手段を備えたことを特徴とするネイルチップ用充電器。
【手続補正２】
【補正対象書類名】明細書
【補正対象項目名】全文
【補正方法】変更
【補正の内容】
【発明の詳細な説明】
【技術分野】
【０００１】
本発明は手や足の指先等に装着するネイルチップに関し、特に、画像データを再生表示するディスプレイ装置を搭載したネイルチップに関する。
【背景技術】
【０００２】
ネイルアートと称して自ら或いは他人の爪に絵を描き又は宝石を付すなどして指先を装飾する女性は多い。また、このネイルアートを専業として行ういわゆるネイルサロンの出店も増加傾向にある。一方、簡便にネイルのデザインを変更できることから、爪に直接顔料等を塗布するのではなく、予めカラーリングやデコレーションを施したネイルチップ（いわゆるつけづめ）を指先に貼着することで手軽にネイルアートを楽しむ人も多い。
【０００３】
従来のネイルチップは、プラスチック等の熱硬化性樹脂を爪形状に形成したものに任意の装飾が施された状態で市場に供給されるのが一般的であったが、ユーザによるデザイン選択の自由度を高めるために、データベースに蓄積された画像又はデータ入力手段によりユーザ自らが描き込んだ画像をデータ出力して指先にプリントする技術が既に提案されている（特許文献１参照）。
【０００４】
然し乍ら、かかるネイルデザインを変更するとき、塗布された塗料が乾燥するまでの間はユーザの行動が大きく制限され、またネイルに使用される塗料やリムーバ，乾燥剤等が人体へ与える影響、或いはその量産と廃棄が自然環境に対して与える影響についても懸念されるところである。
【０００５】
さらに、顔料からなるエナメル塗料或いはアクリル塗料などのネイルアート用塗料は、そもそも自然光の下など明るい場所で発色することを前提としたものであるところ、夜間など光の弱い場所においては殆どその装飾効果を発揮し得ない。
【特許文献１】特開２０００−１９４８３８号
【発明の開示】
【発明が解決しようとする課題】
【０００６】
そこで本発明は、ネイルアートに関し従来技術が有する上記の問題点に鑑み、ネイルに使用する塗料やリムーバ或いはそれらの容器等を廃棄物として排出することなく、また、暗中にあっても自ら光を放って鮮やかに指先を彩ることのできるネイルチップを提供することを第一の課題とする。
【０００７】
また本発明は、上記のネイルチップと併用することができ、ネイルデザインに係る大量のデータを格納し、ネイルチップとの間で該データを送受信することができるアクセサリを提供することを第二の課題とする。
【０００８】
さらに本発明は、上記のネイルチップを簡易に充電することができる専用の充電器を提供することを第三の課題とする。
【０００９】
加えて本発明は、上記のネイルチップ及びアクセサリを利用し、新規な画像データを簡易に取得・変更するためのネイルチップ用画像データ配信システムを提供することを第四の課題とする。
【課題を解決するための手段】
【００１０】
上記課題を解決することを目的としてなされた本発明ネイルチップセットの構成は、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなる積層体を、前記ディスプレイ装置を外皮層とする爪形状に形成したネイルチップ、又は、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなり、前記ディスプレイ装置を外皮層とする板状積層体を爪の略平面視形状に切取ったネイルチップであって、装着に際して爪形状に成形するネイルチップと、前記バッテリを充電するための充電器であって、合成樹脂などの硬質材を円柱，角柱等の適宜の柱形状に形成してなる充電器本体と、該充電器本体の上面に穿設した５ないし１０の指穴と、該指穴の底部において接触又は非接触で前記バッテリに電力を供給して充電する電力供給手段を備えたネイルチップ用充電器とを有するものである。
【００１１】
上記課題を解決することを目的としてなされた本発明ネイルチップ用充電器の構成は、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなる積層体を、前記ディスプレイ装置を外皮層とする爪形状に形成したネイルチップ、又は、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなり、前記ディスプレイ装置を外皮層とする板状積層体を爪の略平面視形状に切取ったネイルチップであって、装着に際して爪形状に成形するネイルチップの前記バッテリを充電するための充電器であって、合成樹脂などの硬質材を円柱，角柱等の適宜の柱形状に形成してなる充電器本体と、該充電器本体の上面に穿設した５ないし１０の指穴と、該指穴の底部において接触又は非接触で前記バッテリに電力を供給して充電する電力供給手段を備えたことを特徴とするものである。
【００１２】
また本発明ネイルチップは、少なくとも、入力乃至は受信した画像データを保存するメモリ及び当該画像データを演算処理して出力する演算部及び出力部を搭載した回路基板と、前記演算部により出力されたデータに基づいて画像を表示するディスプレイ装置と、前記回路及びディスプレイ装置に電力を供給するバッテリとからなり、前記ディスプレイ装置を外皮層とする板状積層体を爪の略平面視形状に切取ったネイルチップであって、装着に際して爪形状に成形することを特徴として構成するものである。
【００１３】
本発明は、ディスプレイ装置としてオーガニックエレクトロルミネッセンスディスプレイ（以下、有機ＥＬディスプレイともいう）、或いは、オーガニックライトエミッティングダイオードディスプレイ（ＯＬＥＤ）を採用し、電池には有機ラジカル電池を適用して構成してもよい。
【００１４】
さらに本発明は、集積回路が無線通信機能を備えることによって、インターネット等のネットワークを介してパソコンや携帯電話などの端末機器からダウンロードした画像データを受信してディスプレイ装置に表示したり、或いは、メモリ内に保有している画像データを本発明のネイルチップを装着した者同士で相互に送受信することも可能となる。
【００１５】
しかも本発明に係るネイルチップは、根元側，先端側，左右側などにおいて、装着者の各々の爪の形状に適合するよう切削，切除，折曲などして除去可能な調整しろを備えるよう構成するのが望ましい。かかる構成により、年齢・性別を問わず如何なるユーザにあっても隙間なく容易に爪へ装着することができる。
【００１６】
さらに、本発明ネイルチップを構成する積層体は、最下層に粘着材及び離型シートを備え、また、少なくとも片面に粘着材及び離型シートを備えるシール材と一体に形成することが可能である。
【発明の効果】
【００１７】
本発明ネイルチップは、その表層部にディスプレイ装置を搭載したことで、メモリに記録したネイルデザインの画像データを自発光により表示し、また、再生された画像データを切替え或いは書換えることによって簡単にネイルのデザインを変更することができる。さらに、本発明ネイルチップと併用するアクセサリは、格納部において大量の画像データを保存しておくことができる。加えて、本発明ネイルチップ専用充電器によれば、ネイルチップを装着したままにバッテリを充電することができる。また、本発明ネイルチップ用画像データ配信システムによって、ユーザは時や場所を問わず、簡便にネイルデザインを変更し又は新しい画像データをサーバからダウンロードして取得することができる。この結果、光の届かない場所でも指先を明るく灯すことができるとともに、塗料等を一切使用せずにデザイン画像を表示乃至変更でき、またネイルチップとアクセサリを併せて装着するユーザは美観を失うことなくネイル画像のデータを大量に携帯でき、さらに、かかるネイルデザインは画像データとして授受されるものであるため排出された廃棄物が自然環境を損なうといった事態などについても完全に防止できるという効果を有する。
【発明を実施するための最良の形態】
【００１８】
次に、本発明の実施の形態例について図に拠り説明する。
【００１９】
図1は本発明ネイルチップの一例を示した分解斜視図、図２は本発明を構成する集積回路のシステムブロック図、図３は従来型のネイルアート装置の一例を示した斜視図、図４は被膜層を有する本発明ネイルチップの一例を示した縦断面図、図５は請求項８に係る本発明ネイルチップを構成する積層体を例示した縦断面図、図６は請求項９に係るネイルチップを例示した斜視図、図７は図６の横断面図、図８は本発明ネイルチップ及びこれと併用するアクセサリの使用態様を例示した図、図９は本発明ネイルチップを構成するバッテリの専用充電器を例示した斜視図、図１０は本発明に係る画像データ配信システムを例示したシステムブロック図である。
【００２０】
従来型のネイルアート装置４は、モニタ４１に表示したデータベース内のデザインデータ或いはユーザ自らが入力したデザインデータを、挿入口４２から挿入したユーザの指先爪部に印刷するものである。
【００２１】
この装置４は、デジタルデータ化されたデザイン画像に基づき自動的に塗料などを塗布して印刷する装置であるため、人手によるネイルアートや既に装飾の施されているネイルチップなどに比べ、ユーザによるデザイン選択の自由度が高く、また簡便なものであった。
【００２２】
しかし、装置４そのものに要するコストが高く、またエナメルやアクリル系塗料などを実際に噴射して行うものである以上、廃棄物等による環境破壊の問題を避けられないことは既に述べたとおりである。
【００２３】
そこで、本発明ネイルチップは外皮層に画像ディスプレイ装置を搭載したことなどによって上述の問題を解消したので、この点について図１〜図９を参照しつつ以下に説明する。
【００２４】
図1において、Ｎは本発明に係るネイルチップであって、１はネイルチップＮを構成する有機ＥＬディスプレイ、２はこの有機ＥＬディスプレイ１に表示する画像データＤの再生状態を制御管理する集積回路であって、外部から画像データＤを読み込む入力部Iと、読み込んだデータＤを記録保存するメモリMと、このメモリMに格納されたデータＤを適宜サンプリングレートで演算処理してディスプレイ１に出力する演算部C及び出力部Oとを具備している。
【００２５】
ディスプレイ１は、画像データＤを再生表示できるものであればその方式は問わないが、本発明はネイルチップＮであるため薄型であるのが望ましく、本実施例においては有機ＥＬディスプレイ１を適用する。
【００２６】
ここで、有機ＥＬディスプレイ１とは電気を光に変換するエレクトロルミネッセンスと呼ばれる現象を利用して画像を表示するディスプレイ装置をいい、ブラウン管とは異なり消費電力が小さく、かつ、自発光であるが故にバックライトを必要としないため薄型化しやすいという特徴を有する。また、発光セルが固体からなるいわゆるソリッドステートであるため、薄いプラスチックのように屈曲自在な部材を基板とすることでフレキシブルディスプレイとして利用でき、これを爪形状に形成ないし成形することは困難でない。
【００２７】
ディスプレイ１として具体的に適用可能な製品には、三洋電機株式会社製の有機ＥＬディスレイＡＬＥ２５１、ＡＬＥ２６９、或いは、米イーストマン・コダック社製の有機ＥＬディスプレイＡＭ５５０Ｌなどが挙げられる。なお、オーガニックライトエミッティングダイオードディスプレイとは有機ＥＬディスプレイ１の欧米等における一般的な呼び名である。
【００２８】
このディスプレイ１で再生する画像データＤは文字情報からなる或いは含むものであってもよく、また動画のデータファイルＤであってもよいことは言うまでもない。
【００２９】
上記ディスプレイ１及び集積回路２に使用する電力は、バッテリ３によって供給する。本実施例においては、バッテリ３として有機ラジカル電池を採用している。
【００３０】
有機ラジカル電池とは、有機ラジカル化合物を活物質（蓄電材料）として、ラジカルの酸化反応、還元反応を利用することによって充放電を行う二次電池であって、薄膜化された電極Ｐ０（図示せず）とゲル状に浸透した電解質とからなる屈曲自在な薄型の電池として、異常時にあっても発熱、発煙、発火等の危険性が少なく安全面に優れていることから、本発明のネイルチップＮを構成するバッテリ３として最も好適である。しかも、有機ラジカル電池は従来型の太陽電池などに比してきわめて大きな起電力を有し、本発明ネイルチップＮに適用して固有かつ有利な効果を奏する。また、有機ラジカル電池は水銀や鉛、カドミウム等の有害物質を使用しておらず、本発明の解決すべき課題の一つである環境の保全にも資するものである。
【００３１】
なお、バッテリ３は電力を確保できるものであれば如何なる方式の電池も適用可能であり、また、二次電池に限定されるものでもない。
【００３２】
このバッテリ３は専用の充電器Ｒを用いて充電するのが望ましい。充電器Ｒは、図９に示すように、プラスチックなど合成樹脂製素材のように保形性を有する適宜の硬質材を略柱形状に形成してなる充電器本体Ｂと、該充電器本体Ｂの上面Ｆに穿設した指穴Ｈと、該指穴Ｈの底部においてバッテリ３に電力を供給する電力供給手段Ｃを備えている。なお、指穴Ｈは充電器Ｒ一体につき５乃至１０備えられるのが望ましく、かかる構成によれば一度の充電行為で指に装着された全てのネイルチップＮに対して電力を補充することができる。
【００３３】
電力供給手段Ｃは、接触方式，非接触方式のいずれの供給方式であってもよい。本実施例においては、バッテリ３の薄膜電極Ｐ０と接して電力を供給する接触子Ｐ１を指穴Ｈの底部に配設している。ユーザは、この指穴ＨからネイルチップＮを装着した各指を挿入して、バッテリ３を充電する。指穴Ｈは、人の指が挿入できる程度の径を有する略円筒状に形成され、また親指用に一つ稍大きめの指穴Ｈｔを穿設するのが望ましい。本実施例の充電器Ｒには、一般的な携帯電話機用の電源アダプタＲｊに適合する挿入口Ｊを配設しているため、携帯電話用の電源アダプタＲｊと共用することができてさらに便宜である。
【００３４】
本発明ネイルチップＮは、図１に示すように、少なくとも爪形状に形成されたディスプレイ１、集積回路２、バッテリ３を有しており、これらの各層は係止部材によって相互に係止され、或いは、接着剤等によって相互に接着されて一体化した積層構造Ｌをなしている。なお、ディスプレイ１に表示される画像は外部から観察できれば足りるため、ディスプレイ１の内側にある集積回路２と電池３との上下の位置関係は問わず、また、図４に示すようにディスプレイ１に対して表示面を保護するための透明な被覆層Ｇなどを形成することも任意である。
【００３５】
また、本発明のネイルチップＮは、その根元側（指側），先端側（爪先側），左右側のいずれか又は全てにおいて、装着者の各々の爪の形状に適合するよう切削，切除，折曲などして除去可能な調整しろＦを備えるよう構成することが可能である。人の爪はその幅や根元の形態においては千差万別であるところ、かかる構成を備えることにより本発明ネイルチップＮに接するユーザはきわめて簡易にネイルチップＮを隙間なく自己の指先に装着することができる。
【００３６】
積層体Ｌは、ユーザの爪と接する装着面において粘着材Ｕ及び離型シートＴを備えるよう構成することができる。これにより、ユーザはネイルチップＮの装着に際して離型シートＴを剥離するだけできわめて安価でかつ簡易に貼着することができ、さらに使用後においてはリムーバなどの化学剤を用いることなくネイルチップＮを取除くことができる。積層体Ｌを適度な可塑性を有する物質を以て形成すれば、爪の湾曲に対しても特別な手間を要することなしに隙間なくネイルチップＮを貼付けることができる。
【００３７】
積層体Ｌの粘着材Ｕ，離型シートＴについては、図６，図７に示すように、これらの層を片面に備えたシール材Ｖを利用するのが好適である。これにより、ネイルチップＮは装着されるまで一枚のシートとして保管ないし携帯され、使用に際してはじめて爪様の大きさをとるので、移動等によりばらばらになって紛失してしまうおそれは殆んどない。
【００３８】
集積回路２には、図２に示すように、ブルートゥース等の無線通信手段によって端末等から送信された画像データＤを受信可能な受信部Rを搭載することが可能である。これにより、サーバＳｃ等のデータベースＤＢに蓄積されたネイルデザインのパターンからインターネットを通じてダウンロードした画像データＤを、パソコンＰｃや携帯電話Ｐｄ等の端末から無線受信して出力部Ｏからディスプレイ１に表示することで、時間や場所、設備の有無等を問わず簡便にネイルデザインを変更することが可能となる。
【００３９】
また、メモリMに格納された画像データＤを無線により送信可能な送信部Ｓを集積回路２に搭載すれば、ディスプレイ１に表示されている或いはメモリMに保存してある画像データＤを親しい友人同士などの間で相互に送受信して共有することも可能となる。
【００４０】
さらに、本発明ネイルチップＮと併せて、画像データＤを取得して格納する格納部Ａｍと、この格納された画像データＤを前記メモリＭへ提供する提供手段Ａｐとを備えた指輪ｒｇ，ネックレスｎｋ，ブレスレットｂｒ，アンクレットａｋ，バングルｂｇなどのアクセサリＡを用いることが有用である。これにより、ユーザは例えばネイルチップＮのメモリＭには入りきれない複数の動画データＤなどについて、アクセサリＡの格納部Ａｍを利用して保存・携帯することが可能となる。
【００４１】
また、本発明ネイルチップＮ，アクセサリＡを用いることによって、ネイルチップＮ用画像データＤの配信システムを構成することも可能となる。かかるシステムは、図１０に示すように、サーバコンピュータＳｃとアクセサリＡ、ネイルチップＮがネットワークを介して接続されている。
【００４２】
ネイルチップＮのユーザは、サーバＳｃ内のデータベースＤＢに蓄積された画像データＤ（或いはその情報）の中から所望のデザインを選択すると共に、併用しているアクセサリＡの入力手段Ａｉを用いて要求を入力して、欲しい画像データＤをダウンロードすべく該要求を送信部ＡｓからサーバＳｃへ送り出す。
【００４３】
受信手段Ｓｃｒにおいてこの要求を受けたサーバＳｃは、送信手段Ｓｃｓからユーザ所望の画像データＤを送信し、アクセサリＡは受信手段Ａｒにおいて該画像データＤを受信し、これを格納部Ａｍ内に保存する。このようにして収集した格納部Ａｍ内の画像データＤの中から、ユーザは必要に応じて適宜デザインを選択し、送信手段ＡｓからネイルチップＮの入力部Ｉ又は受信部Ｒを通じて必要な画像データＤをメモリＭへ提供することができる。メモリＭにおいて取得された画像データＤは、前述の通り、ディスプレイ１へ出力され画像として表示される。新規な画像データＤについては、いつでもサーバＳｃから取出すことができるので、ユーザは自己の手許においてすぐにその場で表示することができる。なお、アクセサリＡとして携帯電話機を適用することも任意である。
【産業上の利用可能性】
【００４４】
本発明は以上の通りであって、積層体の表層部にディスプレイ装置を搭載したことで、画像データとしてメモリ上に保存したネイルデザインをこのディスプレイ上に自発光により表示し、また、画像データを切り替え乃至は書き換えることで簡単にネイルのデザインを変更できるため、その結果として、光の届かない場所でも指先を明るく装飾することができ、かつ、塗料等を一切必要としないことから排出される廃棄物が自然環境を損なうといった事態についても完全に防止できるという効果を有するので、ネイルチップに適用してきわめて有用である。
【図面の簡単な説明】
【００４５】
【図１】本発明ネイルチップの一例を示した分解斜視図
【図２】本発明を構成する集積回路のシステムブロック図
【図３】従来型ネイルアート装置の斜視図
【図４】被膜層を有する本発明ネイルチップの一例を示した縦断面図
【図５】請求項８に係る本発明ネイルチップを構成する積層体を例示した縦断面図
【図６】請求項９に係るネイルチップを例示した斜視図
【図７】図６の横断面図
【図８】本発明ネイルチップ及びこれと併用するアクセサリの使用態様を例示した図
【図９】本発明ネイルチップを構成するバッテリの専用充電器を例示した斜視図
【図１０】本発明に係る画像データ配信システムを例示したシステムブロック
【符号の説明】
【００４６】
１      ディスプレイ
２      集積回路
３      バッテリ
４      ネイルアート装置
４１    モニタ
４２    挿入口
Ｉ      入力部
Ｒ      受信部
Ｓ      送信部
Ｍ      メモリ
Ｒ      演算部
Ｏ      出力部
Ｎ      ナイルチップ
Ｇ      被膜層
Ｕ      粘着層
Ｔ      離型シート
Ｖ      シール材
Ｌ      積層体
Ａ      アクセサリ
ｒｇ    指輪
ｂｇ    バングル
ｂｒ    ブレスレット
ａｋ    アンクレット
ｎｋ    ネックレス
Ａｒ    受信手段
Ａｓ    送信手段
Ａｍ    格納部
Ａｉ    入力手段
Ｓｃ    サーバコンピュータ
ＤＢ    データベース
Ｓｃｓ  送信手段
Ｓｃｒ  受信手段
Ｒ      充電器
Ｂ      充電器本体
Ｈ      指穴
Ｈｔ    親指用指穴
Ｆ      本体上面
Ｊ      アダプタ挿入口
Ｒｊ    アダプタ
Ｐ０    薄膜電極
Ｐ１    接触子
【国際調査報告】
2008053941.tif 000013
2008053941.tif 000014
2008053941.tif 000015
2008053941.tif 000016
2008053941.tif 000017
2008053941.tif 000018